(57)【要約】      （修正有）【課題】容易に接近したり離れたりすることができるベッド昇降フレームを提供する。【解決手段】ベッド昇降フレームは、頭部ユニット２と、足部ユニット３と、二つのフレーム部材８とを含む。頭部ユニット２、第一支持ユニット４及び高さが調整可能に第一支持ユニット４に取り付けられた頭部部分６を備える。足部ユニット３は、二つの個別の昇降柱９を含み、二つの個別の昇降柱９が互いに間隔を空けて配置されて二つの個別の昇降柱９の間に自由通路領域１０が形成されるように構成されている。【選択図】図２
2018158109.tif 000002
【特許請求の範囲】
【請求項１】
横臥面の高さを電動的に調整するためのベッド昇降フレーム（１）において、
第一支持ユニット（４）及び高さが調整可能に前記第一支持ユニット（４）に取り付けられた頭部部分（６）を備える頭部ユニット（２）と、
第二支持ユニット（５）及び高さが調整可能に前記第二支持ユニット（５）に取り付けられた足部部分を備える足部ユニット（３）と、
前記頭部ユニット（２）と前記足部ユニット（３）とを連結し、互いに間隔を空けて配置された二つのフレーム部材（８）と、を含み、
前記足部ユニット（３）は、二つの個別の昇降柱（９）を含み、前記二つの個別の昇降柱（９）が互いに間隔を空けて配置されて前記二つの個別の昇降柱（９）の間に自由通路領域（１０）が形成されるように構成されている横臥面の高さを電動的に調整するためのベッド昇降フレーム。
【請求項２】
前記昇降柱（９）のそれぞれに、足部支持部材（５）として配置された第二支持ユニット（５）及び柱体（７）として配置された足部部分を有し、前記柱体（７）が個別の駆動ユニット（１２）を介して高さが調整可能に足部支持部材（５）に取り付けられている請求項１に記載のベッド昇降フレーム。
【請求項３】
保持ハンドル（１１）が前記柱体（７）に配置されている請求項２に記載のベッド昇降フレーム。
【請求項４】
前記横臥面（１３）が、前記フレーム部材（８）に連結されており、前記フレーム部材（８）の高さを調整することで前記横臥面（１３）の高さを調整するように構成されている請求項１に記載のベッド昇降フレーム。
【請求項５】
前記横臥面（１３）は頭部／背部区間（１４）と脚部区間（１５）とを含み、前記区間（１４、１５）は、互いに相対回動可能に配置されており、かつ前記フレーム部材（８）に対して回動可能に配置されている請求項１に記載のベッド昇降フレーム。
【請求項６】
前記横臥面（１３）は、頭部／背部区間（１４）と、下脚部区間（１５）と、上脚部区間（１６）とを含み、前記区間（１５、１６）が、互いに相対回動可能に配置されており、かつ前記フレーム部材（８）に対して回動可能に配置されている請求項１に記載のベッド昇降フレーム。
【請求項７】
前記区間（１４、１５、１６）がそれぞれ電動駆動ユニット（１７）を備える請求項６に記載のベッド昇降フレーム。
【請求項８】
前記足部部分（７）と前記頭部部分（６）とが少なくとも一本の縦バー（１８）を介して連結されており、前記縦バー（１８）が高さ調整可能に前記足部部分（７）及び前記頭部部分（６）に取り付けられている請求項１に記載のベッド昇降フレーム。
【請求項９】
前記下脚部区間（１５）が前記上脚部区間（１６）に対して９０°を超えて回動可能に配置されている請求項６に記載のベッド昇降フレーム。
【請求項１０】
前記下脚部区間（１５）が前記上脚部区間（１６）に対して１１０°を超えて回動可能に配置されている請求項６に記載のベッド昇降フレーム。
【請求項１１】
前記下脚部区間（１５）が前記上脚部区間（１６）に対して１２０°を超えて回動可能に配置されている請求項６に記載のベッド昇降フレーム。
【発明の詳細な説明】
【技術分野】
【０００１】
本発明は、横臥面の高さを電動的に調整するためのベッド昇降フレームに関し、当該ベッド昇降フレームは、第一支持ユニット及び第一支持ユニットに高さが調整可能に取り付けられた頭部部分を備える頭部ユニットと、第二支持ユニット及び高さが調整可能に第二支持ユニットに取り付けられた足部部分を備える足部ユニットと、頭部ユニットと足部ユニットとを連結し、互いに間隔を空けて配置された二つのフレーム部材と、を備えている。
【背景技術】
【０００２】
従来技術の様々な実施例では、前段落で言及されたベッド昇降フレームは知られている。それらはベッドの横臥面を快適に調整でき、このような昇降フレームを備えるベッドは、医療分野および介護分野で使用されることが好ましい。高さを調整することで、移動が制限された患者及び介護者が横臥面に容易に接近することができる。
【０００３】
しかしながら、高さを調整することはできるが、既知のベッド昇降フレームは、依然として以下のような欠点を有する。人がベッドから離れる前及び横になる前には、ベッド上で９０°回転しなければならない。
【０００４】
したがって、立ち上がる過程において、まず背部を立てた状態にし、その後、９０°回転して、これによって、足部をベッドの側縁部に向かわせる必要がある。ベッドに入る際には、足部と背部を横臥面上に置くことができるように、横臥面に座った後に９０°回転しなければならない。特に、移動能力が大きく損なわれた人にとって回転運動が非常に困難であり、介護者の支援によって可能となる。
【発明の概要】
【０００５】
本発明の目的は、ベッド昇降フレームを有するベッドに、容易に接近したり離れたりすることができるベッド昇降フレームを提供することである。
【０００６】
本発明は請求項１に係る特徴を有するベッド昇降フレームによって当該課題を解決する。
【０００７】
従属請求項において本発明の有利なさらなる発展が明記される。
【０００８】
本発明によるベッド昇降フレームの特徴は、足部ユニットが二つの個別の昇降柱を備え、当該二つの個別の昇降柱が互いに間隔を空けて配置されて当該二つの個別の昇降柱の間に自由通路領域が形成されるように設けられていることにある。先行技術から知られているベッド昇降装置とは対照的に、本発明による足部ユニットは二つの個別の昇降柱を備える。この場合、二つの個別の昇降柱が互いに間隔を空けて配置され、これにより、当該二つの個別の昇降柱に跨る直結部材が不要となり、これによって、昇降柱の間に自由通路領域が形成されて、それは昇降柱の間の通路が妨げられないようすることを許容する。
【０００９】
従って、本発明の昇降柱の間に自由通路領域を有するベッド昇降フレームの実施例によれば、横臥面に快適に接近するように許容し、そのうち、人々が横臥面上で事前に回転することなく、横臥面に対して離れたり入ったりすることができる。特に、移動が制限された人にとって、既存のベッドと比べて、特定の方法で本発明によるベッドに容易に接近することができる。本発明のベッド昇降フレームの実施例によれば、ベッドの足部端を介して接近するように許容することができる。
【００１０】
また、頭部ユニットと足部ユニットとが調整可能であることで、本発明によるベッド昇降フレームの横臥面の高さを最適に調整することができる。頭部及び足部はそれぞれが備える支持ユニットに対して個別に変位可能であることで、水平面に対して横臥面を傾斜させることもできる。
【００１１】
本発明における特に有利な実施例によれば、昇降柱のそれぞれは、足部支持部材として配置された第二支持ユニット及び柱体として配置された足部部分を有し、柱体は、個別の駆動ユニットを介して高さが調整可能に足部支持部材に取り付けられている。本発明の当該実施例によれば、昇降柱のそれぞれは、足部支持部材を備え、足部支持部材全体は、第二支持ユニットとして形成されている。この場合、支持ユニットに配置された対応する柱ユニットは、適切な駆動ユニットによって互いに個別に調整することができる。
【００１２】
二つの昇降柱の柱体の高さを個別に調整することでベッド昇降フレームの横臥面を他の状態に調整する可能性を高める。例えば、互いに離れた柱体に対して高さを調整することによりフロアの不平坦を補うか、または、横臥面の具体的な傾きを実現することができる。柱体の高さ位置を均一に調整する場合、駆動ユニットをさらに基本的に同期させて、昇降柱の間の領域における横臥面と地面とが均一な高さ間隔を有する。
【００１３】
昇降柱の個別の配置は、自由通路領域があるために横臥面により接近するように許容する。また、昇降柱はさらにベッドの出入り補助装置として用いられ、これによって、ベッドを利用する人が自身で昇降柱を支持することができる。本発明の別の実施例によれば、柱体に配置された保持ハンドルを更に提供する。保持ハンドルを使用することで昇降柱を支持する可能性が向上する。特に有利なのは、保持ハンドルが昇降柱の上側に配置され、当該保持ハンドルが昇降柱の上側の上部に配置されて昇降柱の側壁に出っ張ってはいない。保持ハンドルを対応して配置することによって、昇降柱を出入り補助装置として好適に利用することができる。また、保持部材を昇降柱の上側の上部に配置することで、保持ハンドルにより通路領域が狭くなることがないよう確保することができる。
【００１４】
ベッド昇降フレームにおける横臥面の配置は基本的にいかなる方法でも実現することができ、例えば、横臥面が、頭部ユニットの頭部部分及び足部ユニットの足部部分のみに連結されている。しかしながら、本発明における特に有利な実施例によれば、横臥面が、互に所定の間隔を空け、頭部部分及び足部部分を連結するフレーム部材に連結されることを提供し、これによって、フレーム部材の高さを調整することで横臥面の対応する高さを調整することができる。
【００１５】
横臥面の対応する実施例において、横臥面が基本的にフレーム部材に連結されており、フレーム部材も頭部ユニットの頭部部分及び支持ユニットの足部部分に連結されており、これによって、頭部ユニット及び支持ユニットの高さを調整することで、フレーム部材の高さを調整することができ、従って、横臥面の高さを調整することができる。横臥面がフレーム部材に基本的に配置されていることで横臥面を容易に調整させ、昇降柱の間に自由に接近することを向上させる。横臥面がフレーム部材に連結されているため、特に省スペースの方法で実施することができる。
【００１６】
横臥面の配置は基本的に自由に選択することが可能である。その最も簡単な実施例では、横臥面がそれに適切なマットレスを配置できる連続的な平面である。しかしながら、本発明における特に有利な実施例によれば、横臥面が頭部／背部区間及び脚部区間を有することを提供し、頭部／背部区間、下脚部区間及び上脚部区間を有し、そのうち、それらの区間が、互いに相対回動可能に配置されており、かつフレーム部材に対して回動可能に配置されている。
【００１７】
本発明の当該実施例によれば、それぞれの区間を調整することができるため、横臥面が当該横臥面をユーザのニーズに適応させる可能性を提供ことができる。さらに、特に、頭部／背部区間を調整する可能性はユーザが横臥面にまっすぐに座ることを許容し、これによって、ユーザは、身体の更なる回転なしに、二つの昇降柱の間の領域を通過して立位の状態で快適にベッドに入ったり出たりしでき、その後に、地面方向に沿って脚部区間を調整することで、ベッドに更に容易に出入りすることができる。
【００１８】
ベッドに出入りする際の快適性を上脚部区間及び下脚部区間の脚部区間によって更に向上させることができる。そのうち、下脚部区間が上脚部区間に対して回動することができて、横臥面として椅子の形式を採用することができ、そのうち、その後、下脚部区間が、例えば、地面に略垂直になり、これによって、ベッドにより簡単且つ快適に出入りすることができる。横臥面の高さを調整できることは、特に、横臥面の下部には依然として十分な領域があることを確保し、これによって、脚部区間または下脚部区間及び上脚部区間を回動させて、ベッドに出入りするために最適な位置となる。特に、三つの区間を有する横臥面の三つの部分の配置により、横臥面を、ベッドに出入りするための最適な座り位置に特によく適応させることができる。
【００１９】
本発明の別の実施例において、下脚部区間が上脚部区間に対して９０°を超えて回動可能であるベッド昇降フレームを提供し、１１０°を超えることが好ましく、１２０°を超えることが特に好ましい。本発明の当該実施例は、下脚部区間が上脚部区間よりも大幅に低くなるように回動され、これによって、ユーザの足部または踵が立ち上がった際に、上脚部区間の下に配置することができる。足部を対応した位置に決めることで、ユーザが安定に立ち上がることができ、ベッドから更に容易に離れることもができる。
【００２０】
それぞれの区間の調整は、原則として如何なる方法で行われることもできる。しかしながら、本発明における特に有利な実施例によれば、これらの区間がそれぞれ電動駆動ユニットを有することを提供する。電動駆動ユニットを利用することは、それが横臥面を快適に操作可能であり、モータドライバは、自己ロックによって、調整された位置を快適に固定することもできる。
【００２１】
本発明の別の実施例によれば、足部部分と頭部部分とが少なくとも一本の縦バーを介して連結されており、縦バーが高さの調整可能に足部部分及び頭部部分に取り付けられていることをさらに提供する。
【００２２】
対応の縦バーを転落防止装置として利用することで被介護者がベッドから転落してしまうことを防止することができる。縦バーを調整できることは、対応の状況に応じる位置に調整されることを許容する。例えば、看護師が患者によく接近できるように、横支持部材を頭部部分及び足部部分の下降位置に変位することができる。
【図面の簡単な説明】
【００２３】
以下、図面を参照しながら本発明の実施例を説明する。
【図１】横臥面が下降位置にあるベッド昇降フレームを示す斜視図である。
【図２】上昇位置にある図１のベッド昇降フレーム及び座り位置にある横臥面を示す第一斜視図である。
【図３】図２に示された位置にある図１のベッド昇降フレームを示す第二斜視図である。
【図４】図２に示された位置にある図１のベッド昇降フレームを示す側面図である。
【発明を実施するための形態】
【００２４】
図１〜図３では、本発明によるベッド昇降フレームの実施例が示されている。ベッド昇降フレーム１は頭部ユニット２と、頭部ユニット２と対向配置された足部ユニット３とを含み、そのうち、頭部ユニット２及び足部ユニット３はそれぞれベッド昇降フレーム１の頭部端及び足部端として形成されている。
【００２５】
頭部ユニット２は頭部部分６備え、高さが調整可能にフロアに立設された第一支持ユニット４に配置されている。第一支持ユニット４に対する頭部部分６の高さを調整するために、駆動ユニット１２を第一支持ユニット４に配置させる。駆動ユニット１２は第一支持ユニット４に対して頭部部分６を電動的に調整することを許容し、そのうち、駆動ユニット１２は、自己ロックによって、調整された高さの位置を確保する。
【００２６】
足部ユニット３は、頭部ユニット２と対向配置され、ベッド昇降フレーム１の足部端を形成している。足部ユニット３は、互いに直接連結されていない２つの昇降柱９を有し、これによって、昇降柱の間に、横臥面１３に自由に接近するように許容する自由通路領域１０が形成されている。昇降柱９のそれぞれは、足部支持部材５を有し、そのうち、足部支持部材５全体が第二支持ユニットとして形成されている。
【００２７】
足部支持部材５のそれぞれは、足部支持部材５に対して高さが調整可能である柱体７が配置されており、そのうち、ここで駆動ユニット（不図示）を利用する。昇降柱の高さは、個別の駆動ユニットによって個別に調整可能であり、二つの昇降柱９の足部支持部材５に対する柱体７の同期調整は、駆動ユニットの適切な連結によって実現することもできる。
【００２８】
昇降柱９は、互いに間隔をあけて平行に配置された２つフレーム部材８を介して頭部部分６に連結されており、かつ２つのフレーム部材８はベッド昇降フレームの長手方向側縁を形成している。三つの区間（即ち、頭部／背部区間１４、上脚部区間１６及び下脚部区間１５）を有する横臥面１３がフレーム部材に配置されている。三つの区間１４、１５、１６が駆動ユニット１７によって互いに個別に回動可能であり、これによって、横臥面１３を図１に示された平置き位置から図２〜３に示された座り位置に調整することができ、そのうち、頭部／背部区間が持ち上げられて、基本的に水平に延びている上脚部区間１６に対して下脚部区間１５が下降し、これによって、横臥面１３全体が椅子のような形状になる。頭部ユニット２及び足部ユニット３の高さ調整は横臥面１３の下方に十分な領域があることを確保し、これによって、下脚部区間１５を図２〜図３における下降位置に容易に調整することができる。
【００２９】
また、縦バー１８はフレーム部材８の上に配置されている。この場合、縦バー１８は、高さ調整可能に足部部分７及び頭部部分６に取り付けられており、そのうち、頭部部分６はこの目的のために対応して形成された溝１９を有する。ベッド昇降フレーム１に快適に入ったり立ち上がって離れたりするために、保持ハンドル１１を柱体７の上側に配置することで、特に、ユーザが保持ハンドル１１を把持することで快適に立ち上がることができる。
【符号の説明】
【００３０】
１  ベッド昇降フレーム
２  頭部ユニット
３  足部ユニット
４  第一支持ユニット
５  第二支持ユニット／足部支持部材
６  頭部部分
７  足部部分／柱体
８  フレーム部材
９  昇降柱
１０  通路領域
１１  保持ハンドル
１２  駆動ユニット（高さ調整）
１３  横臥面
１４  頭部／背部区間
１５  下脚部区間
１６  上脚部区間
１７  駆動ユニット（横臥面）
１８  縦バー
１９  溝
【図１】
2018158109.tif 000003
【図２】
2018158109.tif 000004
【図３】
2018158109.tif 000005
【図４】
2018158109.tif 000006